(57)【要約】【課題】透過表示のみならず反射表示の表示品位も良好な液晶表示装置を提供することを目的とする。【解決手段】  互いに対向して配置された第１基板と第２基板との間に液晶層を保持した透過型の液晶表示パネルＬＰＮと、第１基板の外面に設けられた第１光学素子ＯＤ１と、第２基板の外面に設けられた第２光学素子ＯＤ２と、液晶表示パネルを第１光学素子側から照明するバックライトユニットＢＬと、を備え、第１光学素子ＯＤ１は、さらに、第１偏光板のバックライトユニット側に配置され三角形の断面形状を有する複数のプリズムＰＲからなるプリズム層ＰＲＬと、プリズムＰＲのそれぞれのバックライトユニットＢＬと対向する１つの傾斜面Ｆ１に配置され第２光学素子ＯＤ２を介して入射した外光の一部を反射するとともにバックライトユニットＢＬからのバックライト光の一部を透過する半透過反射層ＴＲＬと、を含むことを特徴とする。【選択図】          図３
2008015369.tif 000002
【特許請求の範囲】
【請求項１】
マトリクス状に配置された複数の画素を有する液晶表示装置であって、
互いに対向して配置された第１基板と第２基板との間に液晶層を保持した透過型の液晶表示パネルと、
前記第１基板の前記液晶層を保持する面とは反対の外面に設けられ、第１偏光板を含む第１光学素子と、
前記第２基板の前記液晶層を保持する面とは反対の外面に設けられ、第２偏光板を含む第２光学素子と、
前記液晶表示パネルを前記第１光学素子側から照明するバックライトユニットと、を備え、
前記第１光学素子は、さらに、
前記第１偏光板の前記バックライトユニット側に配置され、三角形の断面形状を有する複数のプリズムからなるプリズム層と、
前記プリズムのそれぞれの前記バックライトユニットと対向する１つの傾斜面に配置され、前記第２光学素子を介して入射した外光の一部を反射するとともに前記バックライトユニットからのバックライト光の一部を透過する半透過反射層と、を含むことを特徴とする液晶表示装置。
【請求項２】
前記半透過反射層は、無機系材料の蒸着膜または多層膜によって形成されたことを特徴とする請求項１に記載の液晶表示装置。
【請求項３】
前記プリズムは、前記液晶表示パネルの法線方向に延びた平面と、前記半透過反射層が配置された前記傾斜面と、を有する直角三角形の断面形状を有することを特徴とする請求項１に記載の液晶表示装置。
【請求項４】
前記プリズム層は、隣接する前記プリズム間に所定の間隔を有するようなパターンによって構成されたことを特徴とする請求項１に記載の液晶表示装置。
【請求項５】
前記プリズムの前記傾斜面と前記液晶表示パネルの主面とのなす角度は、５°以上１５°以下に設定されたことを特徴とする請求項１に記載の液晶表示装置。
【請求項６】
前記半透過反射層の反射率は、３０％以上８０％以下に設定されたことを特徴とする請求項１に記載の液晶表示装置。
【請求項７】
前記第１光学素子は、さらに、ヘイズ値が３０以上８０以下に設定された散乱層を含むことを特徴とする請求項１に記載の液晶表示装置。
【請求項８】
前記液晶層は、少なくともその厚さ方向におけるほぼ中間において、前記液晶表示パネルの法線方向より前記傾斜面の法線方向側に傾いた配向状態の液晶分子を含むことを特徴とする請求項１に記載の液晶表示装置。
【発明の詳細な説明】
【技術分野】
【０００１】
この発明は、液晶表示装置に係り、特に、外光を選択的に反射することによって画像を表示する反射表示機能及びバックライト光を選択的に透過することによって画像を表示する透過表示機能を備えた液晶表示装置に関する。
【背景技術】
【０００２】
反射表示機能及び透過表示機能を備えた液晶表示装置は、透過型の液晶表示パネル及び液晶表示パネルを背面から照明するバックライトユニットを備えている。このような液晶表示装置は、暗所においては、バックライト光を選択的に透過することによって画像を表示し、明所においては、液晶表示パネルとバックライトユニットとの間の反射面（バックライト表面を含む）を利用して外光を選択的に反射することによって画像を表示している。これにより、消費電力を大幅に低減することができるメリットがある（例えば、特許文献１参照。）。
【特許文献１】特開２００１-００４９９７号公報
【発明の開示】
【発明が解決しようとする課題】
【０００３】
上述したような液晶表示装置において、外光を反射する反射面は、液晶表示パネルから離れており、反射光で画像を表示した場合、視差を生じやすく、十分な表示品位が得られないことがある。また、液晶表示パネルとバックライトユニットとの間に配置される反射面は、バックライト光を効率よく液晶表示パネルに導くために光透過性の高い材料（例えば透明材料）によって形成される場合がある。この場合、透過表示の輝度を向上することはできるが、外光の反射効率が悪く、反射表示の輝度を十分に向上することは困難である。
【０００４】
この発明は、上述した問題点に鑑みなされたものであって、その目的は、透過表示のみならず反射表示の表示品位も良好な液晶表示装置を提供することにある。
【課題を解決するための手段】
【０００５】
この発明の態様による液晶表示装置は、
マトリクス状に配置された複数の画素を有する液晶表示装置であって、
互いに対向して配置された第１基板と第２基板との間に液晶層を保持した透過型の液晶表示パネルと、
前記第１基板の前記液晶層を保持する面とは反対の外面に設けられ、第１偏光板を含む第１光学素子と、
前記第２基板の前記液晶層を保持する面とは反対の外面に設けられ、第２偏光板を含む第２光学素子と、
前記液晶表示パネルを前記第１光学素子側から照明するバックライトユニットと、を備え、
前記第１光学素子は、さらに、
前記第１偏光板の前記バックライトユニット側に配置され、三角形の断面形状を有する複数のプリズムからなるプリズム層と、
前記プリズムのそれぞれの前記バックライトユニットと対向する１つの傾斜面に配置され、前記第２光学素子を介して入射した外光の一部を反射するとともに前記バックライトユニットからのバックライト光の一部を透過する半透過反射層と、を含むことを特徴とする。
【発明の効果】
【０００６】
この発明によれば、透過表示のみならず反射表示の表示品位も良好な液晶表示装置を提供することができる。
【発明を実施するための最良の形態】
【０００７】
以下、この発明の一実施の形態に係る液晶表示装置について図面を参照して説明する。
【０００８】
図１及び図２に示すように、液晶表示装置は、アクティブマトリクスタイプの液晶表示装置であって、透過型の液晶表示パネルＬＰＮを備えている。この液晶表示パネルＬＰＮは、アレイ基板（第１基板）ＡＲと、アレイ基板ＡＲと互いに対向して配置された対向基板（第２基板）ＣＴと、これらのアレイ基板ＡＲと対向基板ＣＴとの間に保持された液晶層ＬＱと、を備えて構成されている。
【０００９】
また、この液晶表示装置は、アレイ基板ＡＲの液晶層ＬＱを保持する面とは反対の外面に設けられた第１光学素子ＯＤ１、及び、対向基板ＣＴの液晶層ＬＱを保持する面とは反対の外面に設けられた第２光学素子ＯＤ２を備えている。さらに、この液晶表示装置は、第１光学素子ＯＤ１側から液晶表示パネルＬＰＮを照明するバックライトユニットＢＬを備えている。
【００１０】
液晶表示パネルＬＰＮは、画像を表示する表示領域ＤＳＰを備えている。表示領域ＤＳＰは、ｍ×ｎ個のマトリクス状に配置された複数の画素ＰＸによって構成されている。
【００１１】
アレイ基板ＡＲは、ガラス板などの光透過性を有する絶縁基板１０を用いて形成されている。すなわち、このアレイ基板ＡＲは、表示領域ＤＳＰにおいて、画素毎に配置されたｍ×ｎ個の画素電極ＥＰ、これら画素電極ＥＰの行に沿ってそれぞれ形成されたｎ本の走査線Ｙ（Ｙ１〜Ｙｎ）、これら画素電極ＥＰの列に沿って形成されたｍ本の信号線Ｘ（Ｘ１〜Ｘｍ）、各々対応走査線Ｙ及び対応信号線Ｘの交差位置近傍に画素毎に配置されたｍ×ｎ個のスイッチング素子Ｗなどを有している。
【００１２】
ｎ本の走査線Ｙは、アレイ基板ＡＲ上または外部回路基板上に配置された走査線ドライバＹＤに接続されている。ｍ本の信号線Ｘは、アレイ基板ＡＲ上または外部回路基板上に配置された信号線ドライバＸＤに接続されている。
【００１３】
アレイ基板ＡＲにおいて、各スイッチング素子Ｗは、例えばＮチャネル型薄膜トランジスタであり、絶縁基板１０上に配置されたポリシリコン半導体層１２を有している。ポリシリコン半導体層１２は、チャネル領域１２Ｃを挟んだ両側にそれぞれソース領域１２Ｓ及びドレイン領域１２Ｄを有している。このポリシリコン半導体層１２は、ゲート絶縁膜１４によって覆われている。
【００１４】
薄膜トランジスタＷのゲート電極ＷＧは、走査線Ｙに接続されている（あるいは走査線Ｙと一体的に形成されている）。ゲート電極ＷＧ及び走査線Ｙは、とともにゲート絶縁膜１４上に配置されている。これらのゲート電極ＷＧ及び走査線Ｙは、層間絶縁膜１６によって覆われている。
【００１５】
薄膜トランジスタＷのソース電極ＷＳ及びドレイン電極ＷＤは、層間絶縁膜１６上においてゲート電極ＷＧの両側に配置されている。ソース電極ＷＳは、信号線Ｘに接続される（あるいは信号線Ｘと一体的に形成される）とともに、ポリシリコン半導体層１２のソース領域１２Ｓにコンタクトしている。ドレイン電極ＷＤは、画素電極ＥＰに接続されるとともに、ポリシリコン半導体層１２のドレイン領域１２Ｄにコンタクトしている。これらのソース電極ＷＳ、ドレイン電極ＷＤ、及び、信号線Ｘは、有機絶縁膜１８によって覆われている。
【００１６】
画素電極ＥＰは、層間絶縁膜１６上に配置され、ドレイン電極ＷＤと電気的に接続されている。この画素電極ＥＰは、インジウム・ティン・オキサイド（ＩＴＯ）などの光透過性を有する導電性部材によって形成される。すべての画素ＰＸに対応した画素電極ＥＰは、配向膜２０によって覆われている。
【００１７】
一方、対向基板ＣＴは、ガラス板などの光透過性を有する絶縁基板３０を用いて形成されている。すなわち、この対向基板ＣＴは、表示領域ＤＳＰにおいて、対向電極ＥＴなどを備えている。対向電極ＥＴは、複数の画素ＰＸに対応して画素電極ＥＰに対向するように配置されている。この対向電極ＥＴは、インジウム・ティン・オキサイド（ＩＴＯ）などの光透過性を有する導電性部材によって形成されている。また、この対向電極ＥＴは、配向膜３６によって覆われている。
【００１８】
このような対向基板ＣＴと、上述したようなアレイ基板ＡＲとをそれぞれの配向膜２０及び３６を対向して配置したとき、両者の間に配置された図示しないスペーサにより、所定のギャップが形成される。液晶層ＬＱは、これらアレイ基板ＡＲの配向膜２０と対向基板ＣＴの配向膜３６との間に形成されたギャップに封入された液晶分子を含む液晶組成物で構成さていれる。
【００１９】
カラー表示タイプの液晶表示装置は、各画素に対応して液晶表示パネルＬＰＮの内面に設けられたカラーフィルタ層３４を備えている。図２に示した例では、カラーフィルタ層３４は、対向基板ＣＴに設けられている。カラーフィルタ層３４は、互いに異なる色、例えば赤色、青色、緑色といった３原色にそれぞれ着色された着色樹脂によって形成されている。
【００２０】
第１光学素子ＯＤ１及び第２光学素子ＯＤ２は、これらを通過する光の偏光状態を制御するものである。図３に示すように、この第１光学素子ＯＤ１は、その主面内で所定方位に透過軸を有するとともに透過軸に直交する方位に吸収軸を有する第１偏光板ＰＬ１を含んでいる。第２光学素子ＯＤ２は、その主面内で所定方位に透過軸を有するとともに透過軸に直交する方位に吸収軸を有する第２偏光板ＰＬ２を含んでいる。第１偏光板ＰＬ１及び第２偏光板ＰＬ２は、例えば、それぞれの透過軸が互いにほぼ直交するように配置されている。
【００２１】
なお、図３に示した例では、液晶表示パネルＬＰＮの液晶層ＬＱは、ホモジニアス配向した液晶分子を含んでおり、液晶分子によるリタデーションの影響を補償するために、第１光学素子ＯＤ１及び第２光学素子ＯＤ２は、それぞれ第１位相差板Ｒ１及び第２位相差板Ｒ２を備えているが、これらの位相差板は、液晶モードに応じて適宜配置すればよいので、必ずしも必要ではない。
【００２２】
次に、第１光学素子ＯＤ１について、より詳細に説明する。
【００２３】
すなわち、図３及び図４に示すように、第１光学素子ＯＤ１は、第１偏光板ＰＬ１に加えて、プリズム層ＰＲＬと、半透過反射層ＴＲＬとを含んでいる。プリズム層ＰＲＬは、第１偏光板ＰＬ１のバックライトユニットＢＬ側に配置され、三角形の断面形状を有する複数のプリズムＰＲによって構成されている。半透過反射層ＴＲＬは、プリズムＰＲのそれぞれのバックライトユニットＢＬと対向する１つの傾斜面Ｆ１に配置されている。この半透過反射層ＴＲＬは、第２光学素子ＯＤ２を介して入射した外光の一部を反射するとともにバックライトユニットＢＬからのバックライト光の一部を透過する。
【００２４】
また、図３に示した例では、第１光学素子ＯＤ１は、散乱層ＳＣを含んでいる。この散乱層ＳＣは、例えば第１偏光板ＰＬ１のバックライトユニットＢＬ側に配置されている。プリズム層ＰＲＬは、この散乱層ＳＣ上に配置されている。
【００２５】
このような構成により、バックライトユニットＢＬから出射されたバックライト光は、その一部が半透過反射層ＴＲＬを透過してプリズムＰＲの傾斜面Ｆ１から入射するとともに半透過反射層ＴＲＬが配置されていないプリズムＰＲの他の平面Ｆ２からも入射する。プリズム層ＰＲＬに入射したバックライト光のうち、散乱層ＳＣ、第１偏光板ＰＬ１、第１位相差板Ｒ１を透過した透過光は、液晶表示パネルＬＰＮを通過した後、選択的に第２光学素子ＯＤ２の第２偏光板ＰＬ２を通過し、透過表示モードにおける表示画像を構成する。
【００２６】
また、第２光学素子ＯＤ２を介して入射した外光は、液晶表示パネルＬＰＮを通過し、選択的に第１光学素子ＯＤ１の第１偏光板ＰＬ１を通過した後、散乱層ＳＣ及びプリズム層ＰＲＬを透過し、その一部が半透過反射層ＴＲＬで反射される。この反射光のうち、再び、プリズム層ＰＲＬ、散乱層ＳＣ、第１偏光板ＰＬ１、第１位相差板Ｒ１を透過した透過光は、液晶表示パネルＬＰＮを通過した後、選択的に第２光学素子ＯＤ２の第２偏光板ＰＬ２を通過し、反射表示モードにおける表示画像を構成する。
【００２７】
このような実施形態によれば、反射表示に主に寄与する外光を反射する反射面（半透過反射層ＴＲＬ）を液晶表示パネルＬＰＮに近接して配置することが可能となり、視差の影響を軽減することが可能となる。また、反射面を半透過反射層ＴＲＬとしたことにより、バックライト光の透過率を著しく低下させることなく反射率を向上することができる。このため、反射表示の輝度を十分に向上することが可能となる。したがって、透過表示のみならず反射表示の表示品位を改善することが可能となる。
【００２８】
上述した実施形態に適用可能な半透過反射層ＴＲＬは、例えば、光反射性を有する銀（Ａｇ）やアルミニウム（Ａｌ）などの無機系材料の蒸着膜または多層膜によって形成されている。また、プリズム層ＰＲＬは、例えば、一体成型された樹脂フィルムなどによって形成されている。
【００２９】
プリズム層ＰＲＬを構成する各プリズムＰＲは、液晶表示パネルＬＰＮにおける一方向例えば行方向に延びており、行方向に沿って頂角ＰＲＸを有している。この頂角ＰＲＸは、プリズムＰＲを形成する２つの平面すなわち半透過反射層ＴＲＬが配置された傾斜面Ｆ１と、半透過反射層が配置されていない平面Ｆ２との交線に相当する。これらのプリズムＰＲは、行方向に直交する列方向に並んで配列されている。
【００３０】
図４に示した例では、平面Ｆ２は、液晶表示パネルＬＰＮの法線（あるいは第１光学素子ＯＤ１の法線）Ｎ１に平行な方向に延びている。すなわち、プリズムＰＲを構成する平面Ｆ２と、散乱層ＳＣに接する平面Ｆ３とが直交しており、各プリズムＰＲは、直角三角形の断面形状を有している。このようなプリズムＰＲからなるプリズム層ＰＲＬに対してその法線方向に配置した蒸着源から無機系材料を蒸発させた際、蒸着源と対峙する傾斜面Ｆ１には材料が蒸着される一方で、材料の飛散方向と略平行な平面Ｆ２には材料が蒸着されにくい。
【００３１】
このため、特にマスク等を必要とせずに、各プリズムＰＲの傾斜面Ｆ１のみに半透過反射層ＴＲＬを形成することが可能となる。これにより、半透過反射層ＴＲＬを形成するのに必要な製造コストの増大を抑制できる。
【００３２】
図４に示した例では、プリズム層ＰＲＬは、隙間なく複数のプリズムＰＲを配列したパターンによって構成したが、このようなパターンに限らず、上述した実施形態に適用可能である。すなわち、プリズム層ＰＲＬは、図５に示すように、隣接するプリズムＰＲ間に所定の間隔Ｇを有するようなパターンによって構成されても良い。
【００３３】
このような構成例においても、各プリズムＰＲは、図４に示した例と同様に直角三角形の断面形状を有していることが望ましい。また、半透過反射層ＴＲＬは、各プリズムＰＲの傾斜面Ｆ１のみに配置されている。すなわち、このようなプリズムＰＲからなるプリズム層ＰＲＬに対しては、例えば、プリズムＰＲ間の隙間を遮蔽するようなマスクを介してその法線方向に配置した蒸着源から無機系材料を蒸発させることにより、蒸着源と対峙する傾斜面Ｆ１のみに半透過反射層ＴＲＬを形成することが可能となる。
【００３４】
このような構成例によれば、バックライトユニットＢＬから出射されたバックライト光は、その一部が半透過反射層ＴＲＬを透過してプリズムＰＲの傾斜面Ｆ１から入射するとともに半透過反射層ＴＲＬが配置されていないプリズムＰＲの他の平面Ｆ２からも入射するのに加えて、さらに、プリズムＰＲ間の隙間からも入射する。つまり、バックライト光の入射面を拡大することが可能となる。これにより、透過表示モードにおける表示画像の輝度を向上することが可能となる。
【００３５】
ところで、プリズムＰＲの傾斜面Ｆ１の傾斜角、すなわち、傾斜面Ｆ１と液晶表示パネルＬＰＮの主面（あるいは第１光学素子ＯＤ１の主面）Ｐ１とのなす角度θｐについて、最適な範囲について検討する。
【００３６】
携帯端末機器などに適用される液晶表示装置の屋外での使用状況を検証したところ、外光の入射角（つまり、液晶表示パネルＬＰＮの法線Ｎ１に対する入射光の入射角度）θｉｎが３０°となる方向に液晶表示装置を向けて使用される頻度が高いことが分かった。このため、３０°の入射角で入射した外光を液晶表示パネルＬＰＮの法線方向Ｎ１（つまり、液晶表示パネルＬＰＮからの出射角θｏｕｔが０°となる方向）に向けて出射するように制御する条件を考える。外気の屈折率が１．０であり、第１光学素子ＯＤ１の屈折率が１．５である場合、上述した条件を満たすためには、角度θｐは、１０°に設定することが望ましい。
【００３７】
なお、液晶表示装置の使用頻度については、外光の入射角θｉｎが３０°に限らず、３０°±５°の範囲で比較的使用頻度が高いことが分かっているので、角度θｐは、５°以上１５°以下に設定されることが望ましい。このような設定により、外光を効率的に液晶表示パネルＬＰＮの正面に向けて反射することが可能となり、反射表示モードにおける表示画像の表示品位を向上することができる。
【００３８】
次に、半透過反射層ＴＲＬの反射率について、最適な範囲について検討する。すなわち、半透過反射層ＴＲＬにおいて、外光に対する反射率とバックライト光に対する透過率とはトレードオフの関係にある。上述したような構成の第１光学素子ＯＤ１において、プリズムＰＲの傾斜面Ｆ１に半透過反射層ＴＲＬを配置しなかった場合と比較して、液晶表示パネルＬＰＮの法線方向での反射輝度が２０％アップさせるのに必要な半透過反射層ＴＲＬの反射率は、３０％であることが分かった。
【００３９】
また、透過表示モードにおける表示画像の輝度を確保するのに必要なバックライト光の透過率に基づき、半透過反射層ＴＲＬの反射率は８０％以下に設定されることが望ましいことが分かった。すなわち、半透過反射層ＴＲＬの反射率は、３０％以上８０％以下に設定されることが望ましい。
【００４０】
次に、散乱層ＳＣのヘイズ値について、最適な範囲について検討する。すなわち、第１光学素子ＯＤ１に含まれる散乱層ＳＣは、アレイ基板ＡＲとプリズム層ＰＲＬとの間のいずれかの位置に配置されている。液晶表示パネルＬＰＮに含まれる画素ＰＸは規則的にマトリクス状に配置されている一方で、プリズム層ＰＲＬに含まれるプリズムＰＲは液晶表示パネルＬＰＮにおける一方向に沿って規則的に並んでいる。このため、反射表示モードにおいて、反射光を利用した画像を表示した際、プリズムパターンと画素パターンとが干渉し、表示品位に悪影響を及ぼすおそれがある。
【００４１】
そこで、散乱層ＳＣにより、反射光を散乱させることで、このような干渉を抑制することが可能である。十分な干渉抑制効果が得られるのに十分なヘイズ値は、３０以上であることが望ましい。これにより、反射表示モードにおける表示画像の表示品位を改善することが可能となる。
【００４２】
一方、ヘイズ値を高く設定しすぎると、反射表示に利用する反射光のみならずバックライト光の拡散度も高くなり、透過表示モードにおける表示画像の輝度が著しく低下してしまう。このため、透過表示モードにおける表示画像の輝度を確保するのに必要なバックライト光の透過率に基づき、散乱層ＳＣのヘイズ値は８０以下に設定されることが望ましいことが分かった。すなわち、散乱層ＳＣのヘイズ値は、３０以上８０以下に設定されることが望ましい。
【００４３】
次に、液晶表示パネルＬＰＮにおいて液晶層ＬＱに含まれる液晶分子の配向状態と、プリズム層ＰＲＬにおいてプリズムＰＲの傾斜面の向きとの関係について検討する。
【００４４】
上述した実施の形態においては、複屈折モードを適用した液晶分子のツイスト角（画素電極と対向電極との間に電圧を印加しない状態において、アレイ基板近傍の液晶分子の長軸の面内方位と対向基板近傍の液晶分子の長軸の面内方位とのなす角度）が０°（ホモジニアス配向）となるような液晶モードについて説明したが、これ以外の液晶モードであっても良い。
【００４５】
プリズムＰＲの傾斜面Ｆ１の向き（図６において右上がりの傾き）と、液晶分子の長軸の傾きとが反対になるような設定であれば、いずれの液晶モードにおいても本実施形態を適用可能である。より詳細に説明すると、液晶表示パネルＬＰＮにおいて、主視角方向とは、液晶分子の長軸の面内方位に相当する。液晶表示パネルＬＰＮの法線Ｎ１から主視角方向に視角を拡大していくと、反主視角方向よりも小さな視角で黒つぶれが観察される場合がある。
【００４６】
そこで、液晶層ＬＱは、少なくともその厚さ方向におけるほぼ中間において、液晶表示パネルＬＰＮの法線方向Ｎ１よりプリズムＰＲの傾斜面Ｆ１の法線方向Ｎ２側に傾いた配向状態の液晶分子を含むように構成することが望ましい。これにより、透過表示モードにおいて、黒つぶれが観察される主視角方向にバックライト光がプリズムＰＲによって屈折され、黒つぶれによって暗くなってしまう表示画像の輝度を補うことが可能となる。このため、主視角方向において、透過表示モードでの表示画像の表示品位を改善することができる。
【００４７】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４８】
【図１】図１は、この発明の一実施の形態に係る液晶表示装置の構成を概略的に示す図である。
【図２】図２は、図１に示した液晶表示装置の断面構造を概略的に示す図である。
【図３】図３は、図１に示した液晶表示装置に適用可能な第１光学素子の構成をより詳細に説明するための図である。
【図４】図４は、図３に示した第１光学素子に含まれるプリズム層のプリズムの形状を説明するための図である。
【図５】図５は、図１に示した液晶表示装置に適用可能な第１光学素子の他の構成を概略的に示す図である。
【図６】図６は、液晶層に含まれる液晶分子の配向状態と、プリズムの傾斜面の向きとの関係を説明するための図である。
【符号の説明】
【００４９】
ＬＰＮ…液晶表示パネル  ＡＲ…アレイ基板  ＣＴ…対向基板  ＬＱ…液晶層  ＢＬ…バックライトユニット  ＰＸ…画素  ＰＲＬ…プリズム層  ＴＲＬ…半透過反射層  ＰＲ…プリズム  Ｆ１…傾斜面  ＳＣ…散乱層  ＯＤ１…第１光学素子  ＯＤ２…第２光学素子
【図１】
2008015369.tif 000003
【図２】
2008015369.tif 000004
【図３】
2008015369.tif 000005
【図４】
2008015369.tif 000006
【図５】
2008015369.tif 000007
【図６】
2008015369.tif 000008